(57)【要約】【課題】  本発明は、デジタル放送波、ブロードバンドのネットワークを利用したコンテンツ受信システムにおいて、好適に主コンテンツを視聴すること及び個人の所望する副コンテンツ情報を提供することが可能な技術を提供する。【解決手段】  サブコンテンツ制御受信装置Ａ(101)，Ｂ(102)は、各サブコンテンツ制御受信装置に固有のＩＤ情報と副コンテンツの取得要求とを、通信制御部(405)からメインコンテンツ受信表示装置１００に送信する。メインコンテンツ受信表示装置１００は、この取得要求に対応した副コンテンツをコンテンツ分離制御部(310)で分離する。そして、要求情報入力／送信制御部(313)は、分離された副コンテンツと受信ＩＤ情報とをサブコンテンツ制御受信装置送信する。サブコンテンツ制御受信装置は、そのＩＤ情報により副コンテンツの取得を決定する。【選択図】  図２
2008085515.tif 000002
【特許請求の範囲】
【請求項１】
コンテンツ受信システムにおいて、
放送波もしくはネットワークから主コンテンツと副コンテンツとが多重化されたストリームを受信可能な第１受信部と、該受信ストリームから主コンテンツと副コンテンツとに分離する分離部と、該分離部で分離された主コンテンツを映像及び／または音声として出力可能な第１出力部と、前記分離部で分離された副コンテンツを外部へ送信するための送信部とを有する主受信端末装置と、
前記主受信端末装置の送信部から送信された副コンテンツが受信可能な第２受信部と、該受信された副コンテンツを映像及び／または音声として出力可能な第２出力部とを有する複数の副受信端末装置と、を備え
前記複数の副受信端末装置は、それぞれ固有のＩＤ情報を有し、
前記主受信端末装置の前記送信部は、前記各副受信端末のＩＤ情報に対応した前記副コンテンツを前記各副受信端末に対し個別に送信可能であることを特徴とするコンテンツ受信システム。
【請求項２】
請求項１に記載のコンテンツ受信システムにおいて、前記各副受信端末装置は、前記主受信端末装置に対し、前記副コンテンツを取得するための取得要求を送信可能であり、
前記主受信端末装置は、前記副受信端末装置からの前記取得要求に応答して、該取得要求を送信した副受信端末装置のＩＤに対応する前記副コンテンツを送信することを特徴とするコンテンツ受信システム。
【請求項３】
請求項１に記載のコンテンツ受信システムにおいて、前記主コンテンツはテレビジョン番組の映像コンテンツであり、前記副コンテンツは、該テレビジョン番組に関連するデータであることを特徴とするコンテンツ受信システム。
【請求項４】
請求項３に記載のコンテンツ受信システムにおいて、前記該テレビジョン番組に関連するデータは、字幕データ、または副音声データを含むことを特徴とするコンテンツ受信システム。
【請求項５】
請求項１に記載のコンテンツ受信システムにおいて、前記主コンテンツはテレビジョン番組の映像コンテンツであり、前記副コンテンツは、電子番組ガイドのデータ、データ放送のデータ、または商品の宣伝に関するデータを含むことを特徴とするコンテンツ受信システム。
【請求項６】
請求項１に記載のコンテンツ受信システムにおいて、前記副受信端末装置は、前記主受信端末装置を操作するためのリモートコントロール装置と兼用されることを特徴とするコンテンツ受信システム。
【請求項７】
請求項１に記載のコンテンツ受信システムにおいて、前記主受信端末装置の前記第１出力部と前記副受信端末装置の前記第２出力部は、それぞれ表示部と音声出力部とを含むことを特徴とするコンテンツ受信システム。
【請求項８】
請求項７に記載のコンテンツ受信システムにおいて、前記第１出力部の音声出力部から主音声を出力し、前記第２出力部の音声出力部から前記副コンテンツとしての副音声を出力するようにしたことを特徴とするコンテンツ受信システム。
【請求項９】
請求項８に記載のコンテンツ受信システムにおいて、前記第２出力部の音声出力部は、イヤホンもしくはヘッドフォンを介して前記副音声を出力するようにしたことを特徴とするコンテンツ受信システム。
【請求項１０】
請求項１に記載のコンテンツ受信システムにおいて、前記副受信端末装置は、前記副コンテンツとして送信された、特定ホームページにアクセスするためのアドレス情報を受信可能であり、該アドレス情報を用いて該特定ホームページにアクセス可能としたことを特徴とするコンテンツ受信システム。
【請求項１１】
請求項１０に記載のコンテンツ受信システムにおいて、前記副受信端末装置は、前記主受信端末に接続されるインターネットを介して前記特定ホームページにアクセス可能であることを特徴とするコンテンツ受信システム。
【請求項１２】
コンテンツ受信端末装置において、
放送波もしくはネットワークから主コンテンツと副コンテンツとが多重化されたストリームを受信可能な第１受信部と、
前記受信ストリームから前記主コンテンツと副コンテンツとに分離する分離部と、
前記分離部で分離された主コンテンツを映像及び／または音声として出力可能な出力部と、
複数の副受信端末装置とデータの送受信が可能な送受信部と、
を備え、前記送受信部は、複数の副受信端末装置からそれぞれ固有のＩＤ情報を受信可能であり、かつ該ＩＤに対応する前記分離部で受信された副コンテンツを前記副受信端末装置に送信可能であることを特徴とするコンテンツ受信端末装置。
【発明の詳細な説明】
【技術分野】
【０００１】
本発明は、双方向放送、たとえばデジタル放送波及び／またはネットワークを介して映像コンテンツを受信するためのコンテンツ受信端末システム、及びコンテンツ受信端末装置に関する。
【背景技術】
【０００２】
デジタル化された映像コンテンツを含むストリームは、デジタル放送、または広帯域（ブロードバンド）のネットワーク（例えばＦＴＴＨ：Fiber to the Home）によって各家庭の受信端末装置に放送または配信されている。このストリームは、テレビジョン番組等の主映像コンテンツの他に、データ放送、商品の宣伝情報（コマーシャル情報）、番組関連情報、字幕データ、電子番組ガイド（ＥＰＧ）などの種々の副コンテンツを含ませることが可能である。
【０００３】
このとき、代表的な受信端末装置であるテレビジョン受像機に主コンテンツと副コンテンツとを同時に表示すると、各コンテンツの表示領域が狭くなり、ユーザは各コンテンツを視認しづらくなる。
【０００４】
このような問題を解消すべく、例えば下記特許文献１及び２は、主コンテンツを主受信端末装置に表示させ、副コンテンツを例えば携帯通信機器やリモコン装置などの副受信端末装置に表示させることを開示する。
【０００５】
【特許文献１】特開2002-169747号公報
【特許文献２】特開2005-198061公報
【発明の開示】
【発明が解決しようとする課題】
【０００６】
上述のように、副コンテンツとして様々なものがユーザに提供可能となっており、同じ家族であっても各個人が所望する副コンテンツはそれぞれ相違する場合がある。たとえば、副コンテンツとしてコマーシャル情報とデータ放送が提供されている場合、家族のある者はコマーシャル情報を、別の者はデータ放送のニュースを取得したい場合がある。
【０００７】
従って、家庭内のテレビジョン受像機などの情報受信端末装置は、家族で共有の主コンテンツを提供するとともに、各個人の好みに応じた副コンテンツを提供して個人毎に視聴可能にすることが好ましい。しかしながら、上記特許文献１及び２には、そのような副コンテンツのパーソナライズ化については考慮されていない。
【０００８】
本発明は、上記課題に鑑みて為されたものであって、その目的は、デジタル放送波及び／またはネットワークを介してコンテンツを受信するシステムにおいて、主コンテンツにとともに送信される副コンテンツをユーザの好みに応じてパーソナライズ化するのに好適な技術を提供することにある。
【課題を解決するための手段】
【０００９】
上記目的を達成するために、本発明は、主となる受信端末装置とデータの送受信が可能な複数の副受信端末装置のそれぞれに、各副受信端末装置に固有のＩＤ（識別）情報を持たせ、このＩＤ情報に対応する副コンテンツを主受信端末装置から副受信端末装置に送信するように構成したことを特徴とするものである。
【００１０】
上記本発明の構成によれば、たとえばテレビジョン番組等の主コンテンツを大画面の主受信端末装置（例えばテレビジョン受像機）により家族で視聴しながら、各個人の手元にある副受信端末装置により、個々の知りたい情報やデータを取得することが可能となる。
【発明の効果】
【００１１】
本発明によれば、副コンテンツをユーザの好みに応じてパーソナライズ化して各ユーザに対して提供することが可能となる。
【発明を実施するための最良の形態】
【００１２】
以下、本発明の実施形態について図面を参照しつつ説明する。
【実施例１】
【００１３】
まず、本発明が適用され得るコンテンツ受信端末システムの一例について図１を参照して説明する。図１において、主受信端末装置であるメインコンテンツ受信表示装置１００は、ブロードバンドインターネット１０４を介して、コンテンツ配信装置１０３から配信されたストリームを受信し、主コンテンツを表示する。ここで、ストリームは、主コンテンツに副コンテンツが多重化されたものとする。またメインコンテンツ受信表示装置１００は、放送波受信部２０１を備えており、これにより地上波デジタル放送、BS/CSデジタル放送、アナログ放送などのテレビジョン放送信号も受信する。テレビジョン放送信号がデジタル放送信号の場合は、上記と同様に主コンテンツと副コンテンツが多重化されたストリームを受信し、そのディスプレイ上に主コンテンツを表示する。ここでは、メインコンテンツ受信表示装置１００はテレビジョン受像機であるものとする。また、本実施例では、ブロードバンドインターネット１０４からのストリーム、及びテレビジョン放送からのストリームの両方を受信可能としているが、いずれか一方を受信可能としてもよい。
【００１４】
本実施例において、主コンテンツとは、例えばテレビジョン番組等の動画コンテンツであって、本実施例では、メインコンテンツ受信表示装置１００に表示される家族で共通して視聴され得る映像コンテンツのことである。
【００１５】
一方、副受信端末装置であるサブコンテンツ制御受信装置Ａ１０１、およびＢ１０２は、メインコンテンツ受信表示装置１００が受信したストリームのうち、所望の副コンテンツをメインコンテンツ受信表示装置１００から受信してそのディスプレイ上に表示するように構成されている。
【００１６】
ここで、副コンテンツとは、例えば、日本語音声、英語音声などの多国語の音声データ、番組の録画予約を行うための電子番組表（以下ＥＰＧと称する）、コンテンツ配信装置１０３から配信される電子コンテンツ表（以下ＥＣＧと称する）、及び字幕データ、コマーシャル情報などの付加情報などを含むものとする。また、副コンテンツは、主コンテンツをダウンコンバート（たとえば、ＨＤ解像度からＳＤ解像度へ変換）、及び／または符号化変換（たとえば、ＭＰＥＧ−２からＭＰＥＧ−４への変換）したコンテンツ情報であって、そのコンテンツ情報の特性に応じて著作権保護処理が為された情報のことであってもよい。また、副コンテンツ情報は、サブコンテンツ制御受信装置Ａ１０１、１０２がインターネットのサイト閲覧のためのブラウザ機能を有する場合には、インターネット上のホームページのデータ（アドレス情報、ＵＲＬ）やメタデータでも構わない。
【００１７】
また本実施例においては、サブコンテンツ制御受信装置Ａ１０１およびＢ１０２は、それぞれ無線ネットワーク（例えば無線ＬＡＮ等）によりメインコンテンツ受信表示装置１００と情報やデータの送受信を行うものとする。当然、無線ネットワークではなく、有線ネットワークであってもよい。またサブコンテンツ制御受信装置は、ユーザの手元に配置可能にするために携帯型（可搬型）とすることが好ましく、そのディスプレイのサイズは、メインコンテンツ受信表示装置１００のディスプレイのサイズよりも小さくされている。
【００１８】
本実施例では、後述するように、複数のサブコンテンツ制御受信装置Ａ１０１およびＢ１０２は、それぞれ固有の識別情報であるＩＤ情報が付与もしくは格納されている。サブコンテンツ制御受信装置Ａ１０１またはＢ１０２が所望の副コンテンツの取得要求を発すると、その取得要求とともにそのサブコンテンツ制御受信装置のＩＤ情報がメインコンテンツ受信表示装置１００に送信される。メインコンテンツ受信表示装置１００は、上記取得要求とＩＤ情報とを受信し、取得要求された所望の副コンテンツを受信したＩＤ情報とともに外部へ送信する。つまり、メインコンテンツ受信表示装置１００は、要求された副コンテンツにＩＤ情報を付加して送信する。そしてサブコンテンツ制御受信装置は、メインコンテンツ受信表示装置１００からのＩＤ情報が付加された副コンテンツを受信し、当該サブコンテンツ制御受信装置内のＩＤ情報と副コンテンツとともに受信したＩＤ情報とが一致した場合にのみ、当該副コンテンツを取得する。これにより複数のサブコンテンツ制御受信装置Ａ１０１およびＢ１０２は、それぞれのＩＤ情報に対応する副コンテンツの表示及び／または音声出力が可能となる。
【００１９】
例えば、メインコンテンツ受信表示装置１００が、主コンテンツとしての映画の画像データに副コンテンツとしてＥＰＧデータ及び副音声データが多重されたストリームを受信する場合、サブコンテンツ制御受信装置Ａ１０１は、メインコンテンツ受信表示装置１００からＥＰＧデータを受信して表示し、サブコンテンツ制御受信装置Ｂ１０２は、副音声データを受信して音声出力することが可能となる。このとき、メインコンテンツ受信表示装置１００は、主コンテンツである映画が表示される。
【００２０】
また、サブコンテンツ制御受信装置Ａ１０１及びＢ１０２は、Ｗｅｂサイトの閲覧要求機能を有し、主コンテンツにリンクされたＵＲＬなどの情報を元に、Ｗｅｂサイトからの情報を取得することも可能に構成されている。
【００２１】
このように、本実施例によれば、リビングルームなどに設置される例えば大画面のテレビジョン受像機で構成されるメインコンテンツ受信表示装置１００は、ファミリーユースとして家族全員で映像を楽しむことができる。更に、これと併せて、家族のそれぞれが所有可能なサブコンテンツ制御受信装置で副コンテンツを個人的に楽しむことができる。よって、本実施例によれば、コンテンツ受信端末装置に係る使い勝手が向上するとともに、個人の嗜好に合わせた映像配信サービスの提供が可能となる。
【００２２】
さらに本実施例の構成によれば、サブコンテンツ制御受信装置に録画操作画面を表示することもできるので、家族が注目しているメインコンテンツ受信表示装置１００の画面に録画操作画面を表示することなく、録画操作することができる。従って、メインコンテンツ受信表示装置１００での映像コンテンツの視聴を妨げることなく、個人毎に番組のダウンロードなどの操作を並行し行うことが可能となる。また、サブコンテンツ制御受信装置１０１A ,１０１Bの装置機能、たとえば、表示解像度、H.264やMPEG-4などのコンテンツ画像のフォーマットの処理機能の情報、AACやMP3などのオーディオ処理機能の情報を取得し、メインコンテンツ受信装置１００は、ターゲットとなるサブコンテンツ制御受信装置１０１A,１０１Bの端末情報に対応したサブコンテンツの形式に変換し、所望のコンテンツ情報を提供するのみならず、各々のサブコンテンツ制御受信装置１０１A,１０１Bに対応したコンテンツの提供が可能となる。さらに、サブコンテンツ制御受信装置１０１A,１０１Bには、サブコンテンツ制御受信装置の固有ID情報による個人の特定も可能となり、パレンタルの制御、コンテンツの購入などの決済権の設定も可能となり、ユーザが安心してコンテンツの視聴が可能となる。
【００２３】
次に、図２を参照して本実施例に係るコンテンツ受信システムの一具体例を説明する。本例では、メインコンテンツ受信表示装置１００としてテレビジョン受信機を用いる場合を例にして説明する。
【００２４】
まず、メインコンテンツ受信表示装置１００の具体例について説明する。放送受信制御部３０９は、例えばテレビジョン放送のチャンネルを選局するためのチューナを含んでおり、リモコン装置への操作によって発生された切替信号に基づいてチャネル選択動作を行う。これにより、所望チャンネルのテレビジョン放送信号（地上波アナログ／デジタル放送信号、ＢＳ／ＣＳアナログ／デジタル放送信号）のストリームを受信する。またサブコンテンツ制御受信装置Ａ１０１、Ｂ１０２とリモコン装置とを兼用するようにしてもよい。この場合、サブコンテンツ制御受信装置Ａ１０１、Ｂ１０２から送信された、ユーザの指示に基づくチャネル情報は、要求情報入力／送信制御部３１３にて取得され、コンテンツ分離制御部３１０においてそのチャンネル情報が解析される。そしてコンテンツ分離制御部３１０は、解析したチャンネル情報を用いて放送受信制御部３０９に含まれるチューナの選局制御を行う。これにより、サブコンテンツ制御受信装置Ａ１０１、またはＢ１０２によって、放送波Ｉ／Ｆ３０８を介して受信したチャネルの番組を選局することも可能である。
【００２５】
また、ＩＰ放送受信／通信制御部３１２は、例えばＭＰＥＧ−２などによって符号化されたストリームを、例えばブロードバンドインターネットで構成されるネットワークＩ／Ｆ３１１を介して受信する。このネットワークＩ／Ｆ３１１は、家庭内の電気機器及び／またはサブコンテンツ制御受信装置Ａ１０１Ｂ１０２との通信を行うためのホームネットワークと接続されるようにしてもよく、ホームネットワーク及びネットワークＩ／Ｆ３１１を介してストリームを受信するようにしてもよい。
【００２６】
放送受信制御部３０９及びＩＰ放送受信／通信制御部３１２で受信されるストリームは、上述したように、動画コンテンツなどの主コンテンツと、字幕データ、ＥＰＧデータ、副音声データ、その他番組関連情報等の副コンテンツとを含むものとする。
【００２７】
コンテンツ分離制御部３１０は、放送受信制御部３０９、及びＩＰ放送受信／通信制御部３１２で受信したストリームから、主コンテンツと副コンテンツとを分離する。コンテンツ分離制御部３１０における副コンテンツの分離は、要求情報入力／送信制御部３１３が取得したサブコンテンツ制御受信装置ＡＢ１０１，Ｂ１０２からの取得要求に応じて実行される。例えば、サブコンテンツ制御受信装置Ａ１０１が副音声データ（例えば英語音声）を取得するための取得要求を送信した場合、要求情報入力／送信制御部３１３は該取得要求を受信し、ID情報に基づき、所望のコンテンツデータ形式に変更し、要求情報制御用Ｉ／Ｆ３１６及び制御用Ｉ／Ｆ３０３を介してＣＰＵ３０１に送信する。
【００２８】
ＣＰＵ３０１は、メインメモリ３０２に記憶されたプログラムに従って、上記取得要求がどのような要求であるのかを解析し、その要求に対応した制御情報を生成する。本例では、該取得要求は副音声を取得するための要求であるので、ＣＰＵ３０１は、受信ストリームから副コンテンツとして副音声データを分離して抽出するための制御情報を作成し、制御用Ｉ／Ｆ３０３を介してコンテンツ分離制御部３１０に与える。コンテンツ分離制御部３１０は、該制御情報に応答してメディア処理／表示制御部３０４にて副音声データを分離して抽出し、コンテンツデータ用Ｉ／Ｆ３１４を介して要求情報入力／送信制御部３１３に供給する。その後、当該副音声データは、要求情報入力／送信制御部３１３から、例えば赤外線や光変調でデータ通信を行う無線インターフェイス部（メイン）３２０に供給される。無線インターフェイス部（メイン）３２０は、供給された副音声データを無線伝送によってサブコンテンツ制御受信装置Ａ１０１に送信する。
【００２９】
ここで、要求情報入力／送信制御部３１３は、メディア処理／表示制御部３０４で副コンテンツを圧縮符号化するための符号化制御を行い、要求情報に応じてメディア処理／表示制御部３０４で分離・抽出された副コンテンツを符号化したコンテンツ情報を、通信パケット化する。無線インターフェイス部（メイン）３２０は、この符号化されパケット化された副コンテンツを無線でサブコンテンツ制御受信装置に送信する。メディア処理／表示制御部３０４の符号化部は、音声データのみならず、画像データも圧縮符号化する。
【００３０】
またサブコンテンツ制御受信装置Ａ１０１またはＢ１０２は、副コンテンツの取得要求とともに、各サブコンテンツ制御受信装置に固有のＩＤ情報を送信する。このＩＤ情報は一時的に要求情報入力／送信制御部３１３に保持される。そして、要求情報入力／送信制御部３１３は、コンテンツ分離制御部３１０で分離・抽出されたＥＰＧデータに上記一時的に保持されたＩＤ情報を付加して無線インターフェイス部（メイン）３２０からサブコンテンツ制御受信装置側へ送信する。この詳細については後述する。
【００３１】
一方、コンテンツ分離制御部３１０で受信ストリームから分離された主コンテンツのデータは、コンテンツデータ用Ｉ／Ｆ３１４を介してメディア処理／表示制御部３０４へ供給される。メディア処理／表示制御部３０４は、ワークメモリ３０７を用いて所定の画像処理及び音声処理を実行し、主コンテンツの映像データについてはディプレイ３０５に供給し、音声データについてはスピーカ３０６に拒給する。これにより、主コンテンツの映像、音声出力が行われる。尚、ディプレイ３０５は、例えばプラズマディスプレイパネルであってもよく、また液晶パネルであってもよい。
【００３２】
またメディア処理／表示制御部３０４は、コンテンツ分離制御部３１０で分離・抽出された副コンテンツのデータを処理する機能を有しており、この副コンテンツに所望の画像処理を施した後に、要求情報入力／送信制御部３１３、無線インターフェイス部（メイン）３２０に供給するようにしてもよい。この副コンテンツに対する画像処理は、サブコンテンツ制御受信装置Ａ１０１またはＢ１０２からの要求に応じて実行される。例えば、サブコンテンツ制御受信装置Ａ１０１またはＢ１０２から映像フォーマットを変換するための要求がされると、メディア処理／表示制御部３０４は、副コンテンツの映像フォーマットを変換する。例えば副コンテンツの符号化方式がＭＰＥＧ−２の場合、それを例えばＭＰＥＧ−４、もしくはＨ．２６４など、サブコンテンツ制御受信装置の能力に応じた映像フォーマットに変換する。
【００３３】
ＨＤＤ３１５は、コンテンツデータ用Ｉ／Ｆ３１４を介してコンテンツ分離制御部３１０と接続されており、主に、コンテンツ分離制御部３１０で分離された主コンテンツを記録する。勿論、副コンテンツを記録するようにしてもよいし、前述した映像フォーマット変換のためのワークメモリ３０７の代わりとして用いてもよい。ＨＤＤ３１５での記録動作は、リモコン装置、またはそれと兼用されるサブコンテンツ制御受信装置Ａ１０１またはＢ１０２からの記録要求に応じて実行される。また、ＨＤＤに記録された副コンテンツを、要求情報入力／送信制御部３１３、無線インターフェイス部（メイン）３２０を介してサブコンテンツ制御受信装置に送信するようにしてもよい。更にまた、ＨＤＤ３１５に記録された主コンテンツも同様にしてサブコンテンツ制御受信装置に送信するようにしてもよい。このとき、メディア処理／表示制御部３０４によって、主コンテンツのフォーマットを、サブコンテンツ制御受信装置の表示フォーマットと適合するように変換して送信してもよい。例えば主コンテンツの映像データが1980×1080の精細度を持ち、サブコンテンツ制御受信装置のディスプレイ４１１が320×240の解像度を持つ場合は、メディア処理／表示制御部３０４によって、主コンテンツの精細度をディスプレイ４１１の解像度と適合するように、すなわち320×240の画素数の信号に変換するようにしてもよい。
【００３４】
また、コンテンツ分離制御部３１０は、有料サービス向けの契約チャンネルや課金の情報、著作権保護のための情報、映像コンテンツの著作権の情報を管理する機能も持つ。そして、そのような管理情報を用い、所望チャンネルのデジタル放送について、ユーザの契約状況などを確認して必要に応じて認証処理、暗号の解読処理等を行う。これにより、ユーザに視聴の権限が与えられたコンテンツの不正コピーを防止し、コンテンツホルダは安心してコンテンツを提供することができる。また、コンテンツ分離制御部３１０は、副コンテンツの著作権を管理するように構成してもよく、副コンテンツについても不正な利用を防止できる。
【００３５】
次に、サブコンテンツ制御受信装置Ａ１０１、Ｂ１０２の具体例について説明する。図２に示されるように、本実施例では、サブコンテンツ制御受信装置を、Ａ１０１、Ｂ１０２の２つ使用しており、両方とも（固有のＩＤ情報が異なる以外は）同一の機能及び構成を有しているものとする。したがって、以下では、サブコンテンツ制御受信装置Ａ１０１についてのみ説明するものとする。また、本実施例ではサブコンテンツ制御受信装置を２つとしているが、当然３つでも４つでもよい。更にまた、本例では、サブコンテンツ制御受信装置として携帯電話機を例にして説明する。サブコンテンツ制御受信装置は、ネットワーク機能を有しメインコンテンツ受信表示装置１００と制御情報、コンテンツ情報の送受機能を有していれば、携帯ゲーム機などの携帯型機器でも構わない。
【００３６】
サブコンテンツ制御受信装置Ａ１０１は、無線インターフェイス部（サブ）４２０を備えており、これによりメインコンテンツ受信表示装置１００と双方向通信を行う。まず、サブコンテンツ制御受信装置Ａ１０１からメインコンテンツ受信表示装置１００へのデータや情報の送信について説明する。
【００３７】
操作部４１３は、カーソルキー、数字キー、決定キーなどを含むキーボードを備えており、これらのキーの操作により所望の副コンテンツを選択可能とされている。具体的には、副コンテンツの選択は、ディスプレイ４１１に表示された選択メニューと上記キーボードとを用いて行われる。
【００３８】
ユーザが、サブコンテンツ制御受信装置Ａ１０１に対し、副コンテンツ取得のための指令を入力すると、ＣＰＵ４０１は、メインメモリ４０２に格納されたプログラムに従って、ディスプレイ４１１に例えば図３に示されるるような副コンテンツ選択のためのメニュー画面を表示する。このメニュー画面は、図３に示されるように、副コンテンツの種類を選択するための選択肢であるアイコン４５０を含んでいる。この例では、アイコン４５０は５個表示されており、それぞれ「番組表」、「副音声」、「字幕」、「データ放送」、「関連情報」に対応している。
【００３９】
「番組表」は上述した電子番組表（ＥＰＧ）のことであり、例えば新聞に掲載されるテレビ番組欄と同様なフォーマットの番組表が表示される。「副音声」は、例えば第二音声などの他言語による音声であり、例えば日本語が主音声であるならば、英語、中国語による音声が副音声とされる。「字幕」は主コンテンツの音声に同期して提供されるもの字幕データである。「データ放送」は、例えばＢＭＬ(Broadcast Markup Language)で記述されるデータであり、例えばニュース、株価などの市場情報、天気予報、商品などの広告情報を提供するためのものである。また「関連情報」は、例えば主コンテンツに関連する情報で、例えば主コンテンツがドラマであれば、そのドラマの監督、出演者、そのドラマのＷｅｂページ情報（ＵＲＬ）などが含まれる。また主コンテンツがＣＭであれば、そのＣＭにて紹介される商品に関する情報、例えばその商品の値段、販売予定日、メーカ、そのメーカのＷｅｂページ情報（ＵＲＬ）などが含まれる。ブロードバンドからのコンテンツにおいては、広帯域の通信路を活用し、同一のコンテンツ情報にユーザの年齢層、嗜好に合わせたCM情報の配信も可能となり、メインスポンサーのついたメインCM以外に、端末を所有するユーザに対応したCM情報を
サブコンテンツ制御受信装置A１０１、B１０２に提供することも可能となる。
【００４０】
ユーザは、サブコンテンツ制御受信装置Ａ１０１のディスプレイ４１１上に表示された選択メニュー画面を参照し、５つのアイコン４５０から所望の種類の副コンテンツを選択する。この選択は、図示しないキーボードのカーソルキーによりカーソル４６０を所望のアイコン４５０上に移動し、図示しない決定キーを押すことにより実行される。図３の例では、カーソルは「番組表」のアイコン４５０に合わせられており、「番組表」が選択されるものとする。尚、本例では、カーソルキーと決定キーによりアイコン４５０を選択するようにしたが、ディスプレイ４１１の表示面にタッチパネルを設け、当該表示面を直接的に接触することによってアイコン４５０を選択するようにしてもよい。この選択メニューは、階層化されており、ユーザの操作履歴を元にカスタマイズ可能であり、キー操作により、選択可能である。
【００４１】
所望の副コンテンツが選択されると、ＣＰＵ４０１は、その副コンテンツを取得するための取得要求を生成する。本例では、「番組表」が選択されているので、「番組表」を取得するための取得要求を生成する。そしてＣＰＵ４１１は、メインメモリに格納されたサブコンテンツ制御受信装置Ａ１０１に固有のＩＤ情報を読み出し、生成した取得要求とともに制御用Ｉ／Ｆ４０４を介して通信制御部４０５に出力する。勿論、サブコンテンツ制御受信装置Ｂ１０２には、サブコンテンツ制御受信装置Ａ１０２とは異なるＩＤ情報が格納されている。そして通信制御部４０５は、取得要求にＩＤ情報との関連付けを行い、無線インターフェイス部（サブ）４２０からメインコンテンツ受信表示装置１００側へ送信する。尚、本例では、ＩＤ情報はメインメモリ４０２に格納されるものとしたが、ＣＰＵ４０１内のＲＡＭ等に格納してもよい。また、ＩＤ情報には、サブコンテンツ制御受信装置A１０１、B１０２の復号化可能な復号方式の種類、ディスプレイ４１１の解像度などの装置情報、個人を特定するユーザ情報を含んでいる。
【００４２】
続いて、メインコンテンツ受信表示装置１００からサブコンテンツ制御受信装置Ａ１０１へのデータや情報の送信について説明する。メインコンテンツ受信表示装置１００からは、上述したように、制御受信装置Ａ１０１から送信されたＩＤ情報とともに、取得要求に対応する副コンテンツのパケットデータが送信される。このＩＤ情報が付加されたパケットデータは無線インターフェイス部（サブ）４２０により受信され、通信制御部４０５に供給される。ここで、通信制御部４０５は比較部と復号部とを有しており、比較部は、受信パケットデータに付加されたＩＤ情報と、サブコンテンツ制御受信装置Ａ１０１が保持するＩＤ情報（メインメモリ４０２に格納されたＩＤ情報）とを比較する。比較の結果、両者が一致しなければ受信パケットを破棄し、一致すれば復号部にて受信パケットの復号処理を行うことにより副コンテンツのデータを再生する。ID情報には、サブコンテンツ制御受信装置固有のID情報に加えて、サブコンテンツ制御受信装置の復号機能の種類、所有するディスプレイの解像度、CPUの性能などの情報、所有するユーザが特定できる電話番号、決済情報なども含んでも構わない。
【００４３】
メインコンテンツ受信表示装置１００からの副コンテンツのパケットデータは、サブコンテンツ制御受信装置Ｂ１０１でも受信出来るが、当該パケットデータに付加されたＩＤ情報（つまりサブコンテンツ制御受信装置Ａ１０１）とサブコンテンツ制御受信装置Ｂ１０２に格納されたＩＤ情報が異なっているので、サブコンテンツ制御受信装置Ｂ１０２では当該パケットデータが破棄される。これによって、サブコンテンツ制御受信装置毎に副コンテンツを取得することができる。
【００４４】
通信制御部４０５にて復号され再生された副コンテンツのデータは、コンテンツデータ用Ｉ／Ｆ４０７を介してストリーム制御部４０８、及びメディア処理／表示制御部４０９に供給される。メディア処理／表示制御部４０９は、ワークメモリ４１０を用いて、副コンテンツの画像データに対し所定の画像処理を行うとともに、音声データに対して所定の音声処理を行う。メディア処理／表示制御部４０９で画像処理された副コンテンツの画像データは、ディスプレイ４１１に供給され表示される。一方、音声処理された副コンテンツの音声データは、スピーカ３０６に供給され、音声出力される。これにより、例えば携帯電話等で構成されたサブコンテンツ制御受信装置Ａ１０１により副コンテンツを視聴することができる。
【００４５】
また、セキュリティ制御部４０３は、有料サービス向けの契約チャンネルや課金の情報、著作権保護のための情報、映像コンテンツの著作権の情報を管理する機能も持つ。そして、そのような管理情報を用い、所望チャンネルのデジタル放送について、ユーザの契約状況などを確認して必要に応じて認証処理、暗号の解読処理等を行う。これにより、ユーザに視聴の権限が与えられたコンテンツの不正コピーを防止し、コンテンツホルダは安心してコンテンツを提供することができる。サブコンテンツ制御受信装置が携帯電話の場合には、携帯電話の機能を活用し、セキュリティ制御部４０３にて視聴コンテンツに係る課金、決済処理を行っても構わない。前述のID情報にコンテンツの視聴許可形態を含むことで、サブコンテンツ制御受信端末A１０１、B１０２が蓄積メディア（SDカード、小型HDDなど）を有する場合には、ダウンロードも可能となり、メインコンテンツの情報も持ち歩くことが可能となる。
【００４６】
上記説明した本実施例に係るコンテンツ受信システムの副コンテンツ取得に関する処理の流れの概要について図４を参照しつつ説明する。図４において、Ｓ（ステップ）１０〜Ｓ１３、Ｓ１６〜Ｓ１９はサブコンテンツ制御受信装置側の処理であり、Ｓ１４〜Ｓ１５はメインコンテンツ受信表示装置１００側の処理である。
【００４７】
先ずＳ１０において、図３に示された副コンテンツ選択のためのメニュー画面が表示される。ユーザは、Ｓ１１において、メニュー画面を見ながら所望の副コンテンツの種類に対応するアイコン４５０を選択する。次にＳ１２において、ＣＰＵ４０１は、選択されたアイコン４５０に対応する副コンテンツの取得要求を生成するとともにＩＤ情報をメインメモリ４０２から読み出す。続いてＳ１３において、通信制御部４０５は、上記取得要求にＩＤ情報を付加し、無線インターフェイス部（サブ）４２０を介してメインコンテンツ受信表示装置１００に送信する。
【００４８】
Ｓ１４において、メインコンテンツ受信表示装置１００のコンテンツ分離制御部３１０は、取得要求に示された副コンテンツの種類、再生可能な復号化の符号化種類、ディスプレイ411の解像度情報、接続許可を得られたサブコンテンツ制御受信装置A１０１、B１０２との認証を行い、対応する副コンテンツを受信ストリームから分離して抽出する。尚、上述したように、取得要求に付加されたＩＤ情報は、要求情報入力／送信制御部３１３に一時的に保持されている。その後、要求情報入力／送信制御部３１３は、その保持したＩＤ情報と抽出された副コンテンツを圧縮符号化し、更にパケット化して無線インターフェイス部（メイン）３２０を介してサブコンテンツ制御受信装置側に送信する。
【００４９】
続いてＳ１６において、サブコンテンツ制御受信装置の通信制御部４０５において、メインコンテンツ受信表示装置１００から送信されたパケットデータのＩＤ情報と、そのサブコンテンツ制御受信装置のＩＤ情報とを比較する。ここで、もし両者が不一致であれば、Ｓ１７に進み受信パケットデータを破棄する。一致していれば、Ｓ１８に進み、通信制御部４０５において副コンテンツを復号化する。最後にＳ１９にて、復号化された副コンテンツをディスプレイ４１１にて映像出力し、及び／またはスピーカ４１２にて音声出力する。
【００５０】
このように、本実施例によれば、複数のサブコンテンツ制御受信装置毎に副コンテンツを要求、取得して視聴することが可能となるので、副コンテンツのパーソナライズを実現できる。更に、パーソナル化された副コンテンツと主コンテンツとで、家族とともに、また個人別に好みの情報を取得できるので、新しい視聴スタイルの実現が可能となる。
【００５１】
尚、本実施例では、図３に示すように１つのメニュー画面を用いて副コンテンツを選択するようにしたが、複数のメニュー画面を階層的に構成し、これにより副コンテンツを選択してもよい。例えばメニュー画面で「データ放送」のアイコンを選択した場合、「データ放送」の種類に対応するアイコンが羅列された（例えば「ニュース」、「市場情報」、「天気予報」等）別のメニュー画面に移行し、その別のメニュー画面により副コンテンツを選択するようにしてもよい。
【００５２】
また、無線インターフェイス部は、例えば無線ＬＡＮ等の無線ネットワークを利用してもよい。
【００５３】
次に、本実施例における副コンテンツの取得に係る一具体例について図５を参照しつつ説明する。以下の説明では、ＩＤ情報を用いたサブコンテンツ制御受信装置の特定処理は上述したものと同様であるため、その説明は省略する。図５は、ブロードバンドのインターネットを利用したコンテンツ取得の流れの一例を示している。コンテンツ配信装置からは、多国語に対応した映画のコンテンツを含むストリームが提供される。このストリーム５００は、主コンテンツとしての映像コンテンツ５０１と、副コンテンツとしての日本語音声データ５０２及び英語音声データ５０３とを含むものとする。
【００５４】
サブコンテンツ制御受信装置Ａ１０１は、映画コンテンツに付随する第２音声データである英語音声データの取得要求５０５とＩＤ情報とをメインコンテンツ受信表示装置１００に送信する。メインコンテンツ受信表示装置１００は、受信したデータを解析し、英語音声データの要求があることを判断し、ブロードバンドインターネットから受信した映像コンテンツ５０４から第２音声データである英語音声データ５０５を分離して抽出し、サブコンテンツ制御受信装置Ａ１０１のＩＤ情報とともにサブコンテンツ制御受信装置Ａ１０１に送信する。
【００５５】
一方、サブコンテンツ制御受信端末Ｂ１０２は、映画コンテンツに付随する字幕データの取得要求５０６とＩＤ情報をメインコンテンツ受信表示装置１００に送信する。メインコンテンツ受信表示装置１００は、受信したデータを解析し、字幕データの要求があることを判断する。そして、ブロードバンドインターネットから受信した映像コンテンツ５０４から字幕データ５０８を分離して抽出し、サブコンテンツ制御受信装置Ｂ１０２のＩＤ情報とともにサブコンテンツ制御受信装置Ｂ１０１に送信する。
【００５６】
メインコンテンツ受信表示装置１００は、主コンテンツである映像コンテンツと日本語音声による視聴環境を提供するとともに、１人または複数以上のユーザからの所望副コンテンツの要求の応じ、副コンテンツを各サブコンテンツ制御受信装置Ａ、Ｂ１０１、１０２に提供する。
【００５７】
これにより、家族で同じ映画タイトルを視聴していても、英語音声データによる視聴、日本語音声データによる視聴等を個人ごとに異なる視聴環境を提供することが可能となる。
【００５８】
続いて、本実施例における副コンテンツの取得に係る別の具体例について図６を参照しつつ説明する。以下の説明では、ＩＤ情報を用いたサブコンテンツ制御受信装置の特定処理は上述したものと同様であるため、その説明は省略する。図６は、放送波とブロードバンドを利用したコンテンツ取得の流れの一例を示しており、放送波から自動車ＣＭコンテンツコンテンツを視聴する場合の例である。放送波からのストリーム６００は、主コンテンツである自動車ＣＭコンテンツ６０１と、副コンテンツである自動車ＣＭコンテンツに付随する自動車メーカのホームページのＵＲＬ，価格グレードなどを示す自動車情報６０２、及びＣＭソング情報６０３とを含むものとする。
【００５９】
サブコンテンツ制御受信装置Ａ１０２は、放送波映像コンテンツ情報６００に付随する自動車情報６０２の取得要求６０５とＩＤ情報とをメインコンテンツ受信表示装置１００に送信する。メインコンテンツ受信表示装置１００は、受信したデータを解析し、自動車情報の要求があることを判断する。そして、ブロードバンドインターネットを介して受信した映像コンテンツ６０４からＷｅｂサイトのＵＲＬなどのメタデータ情報を解析し、自動車情報を抽出する。自動車情報は、サブコンテンツ制御受信装置Ａ１０１のＩＤ情報とともにサブコンテンツ制御受信装置Ａ１０１に送信される。サブコンテンツ制御受信装置Ａ１０１は、そのＵＲＬ情報を元に情報提供サーバ６１０にアクセスし、情報提供サーバ６１０から所望の価格、グレードなどの自動車情報を取得し表示する。サブコンテンツ制御受信端末装置Ａ１０１が携帯電話の場合には、携帯網による情報提供サーバ６１０へアクセスし、情報を入手することも可能である。
【００６０】
一方、サブコンテンツ制御受信端末Ｂ１０２は、自動車ＣＭのＢＧＭに関する情報の取得要求６０６をＩＤ情報とともにメインコンテンツ受信表示装置１００に送信する。メインコンテンツ受信表示装置１００は、受信したデータを解析し、自動車ＣＭコンテンツ６０１に付随するＣＭソング情報の要求があることを判断する。そして、放送波からの映像コンテンツ情報６００からＣＭソング情報６０３を抽出し、サブコンテンツ制御受信装置Ｂ１０２のＩＤ情報とともにサブコンテンツ制御受信装置Ｂ１０２に送信する。サブコンテンツ制御受信装置Ｂ１０２は、そのＵＲＬ情報を元に情報提供サーバ６１０にアクセスし、情報提供サーバ６１０から所望のＣＭソング（ＢＧＭ）の曲名、アーティスト名、アルバム名などを取得し表示する。サブコンテンツ制御受信端末装置Ｂ１０２が携帯電話の場合には、携帯網による情報提供サーバ６１０へアクセスし、情報を入手することも可能である。
【００６１】
これにより、家族で自動車のＣＭコンテンツ情報を視聴していても、自動車情報やＣＭソング情報を個人ごとに取得することが可能となる。よって、従来にない新たなＣＭの視聴環境を提供することが可能となる。また、リビングの家族で共有するテレビをサブコンテンツ制御受信装置を家族の各ユーザが所有することで、メインコンテンツ情報を中心に、ユーザの嗜好に対応するサブコンテンツ情報で従来と異なる、デジタルライフスタイルが満喫できることを可能とするものである。
【００６２】
本実施例の更に別の具体例について図７を参照しつつ説明する。従来においては、放送波やブロードバンドからの番組の視聴中にＥＰＧデータ７０２を用いた録画予約が可能となっている。この場合、ユーザが操作する画面をテレビジョン受像機の画面と共用化しているため、録画予約の処理の間、画面上に映画コンテンツ７０１とＥＰＧコンテンツ７０２が１つの画面で表示される。これに対し本例では、映画コンテンツ７０１の視聴を継続して行いたい場合に手元のサブコンテンツ制御受信装置Ａ，Ｂにより副コンテンツであるＥＰＧデータを表示することが可能と為されている。これによりメインコンテンツ受信表示装置１００には、大画面の高画質な映像コンテンツのみを表示し続けることが可能となる。
【００６３】
映画コンテンツ７０１を視聴している場合において、サブコンテンツ制御受信装置Ａ１０１を持つユーザは、ＥＰＧ画面７０２を表示し、所望の番組予約の処理を手元で行うことが可能となる。また、サブコンテンツ制御受信装置Ｂ１０２を用いて、別のユーザは、映画コンテンツ７０１の第２音声情報をヘッドフォン７０３で視聴することが可能となる。これにより、メインコンテンツ受信表示装置１００で主コンテンツを表示しながら、ＥＰＧやＥＣＧなどのチェックもしくはそれを用いた録画予約などを、ユーザの手元にあるサブコンテンツ制御受信装置で行うことが可能となる。
【実施例２】
【００６４】
以上の実施例では、ＩＤ情報はサブコンテンツ制御受信装置毎に定められたものであり、各装置を特定できるものであれば、どのようなものであってもよい。例えば、サブコンテンツ制御受信装置がネットワークを介して通信が可能である場合には、ＩＤ情報として、サブコンテンツ制御受信装置毎に割り当てられたＩＰアドレスを用いることも可能である。このＩＰアドレスは、ローカルなアドレスであってもよいし、インターネットで利用できるグローバルアドレスであってもよい。
【００６５】
ＩＤ情報としてＩＰアドレスを利用した実施例について図８を参照して説明する。図８は、メインコンテンツ受信表示装置１００に保持されるテーブル情報を示しており、サブコンテンツ受信制御装置Ａ１０１、１０２と要求情報、及び各装置のＩＰアドレスが対応付けられている。要求情報は、ＥＰＧデータ、英語音声データ、字幕データ、ＥＣＧデータ、ＷｅｂサイトのＵＲＬ情報など、副コンテンツの種類を示しており、映像コンテンツ等の主コンテンツに付随するものであればどのようなものであってもよい。そして、これらの要求情報とサブコンテンツ制御受信装置のＩＰアドレスと予め対応付けることで、メインコンテンツ受信表示端末１００は、このテーブルに基づき、所望のコンテンツ情報の提供が可能となる。図８に示されたテーブルは一例であり、ＩＰｖ６のグローバルアドレス、携帯電話の電話番号など、通信のための装置固有のＩＤであってもよい。
【産業上の利用可能性】
【００６６】
本発明は、主コンテンツと副コンテンツを含むストリームを受信、それらを分離してメインの表示装置とサブとなる表示装置に分配可能なシステムに利用可能である。
【図面の簡単な説明】
【００６７】
【図１】本発明が適用されるコンテンツ受信システムの一例を示す図。
【図２】本発明に係るコンテンツ受信システムの一具体例を示す図。
【図３】サブコンテンツ制御受信装置に表示される副コンテンツ選択のためのメニュー画面の一例を示す図。
【図４】本発明に係る副コンテンツ取得処理の流れの一例を示す図。
【図５】本実施例に係る副コンテンツ取得の一具体例を示す図。
【図６】本実施例に係る副コンテンツ取得の別の具体例を示す図。
【図７】本実施例に係るシステムの更に別の具体例を示す図。
【図８】メインコンテンツ受信装置に保持されるテーブル情報の一例を示す図。
【符号の説明】
【００６８】
100…メインコンテンツ受信表示装置、101…サブコンテンツ制御受信装置Ａ、102…サブコンテンツ受信制御装置Ｂ、103…コンテンツ配信装置、104…ブロードバンドインターネット、201…放送波受信部、301…ＣＰＵ、302…メインメモリ、303…制御用Ｉ／Ｆ、304…メディア処理／表示制御部、305…ディスプレイ、306…スピーカ、307…ワークメモリ、308…放送受信Ｉ／Ｆ、309…放送受信制御部、310…コンテンツ分離制御部、311…ネットワークＩ／Ｆ、312…ＩＰ放送受信／通信制御部、313…要求情報入力／送信制御部、314…コンテンツデータ用Ｉ／Ｆ、315…ＨＤＤ、401…ＣＰＵ、402…メインメモリ、403…セキュリティ制御部、404…制御用Ｉ／Ｆ、405…通信制御部、406…ネットワークＩ／Ｆ、407…コンテンツデータ用Ｉ／Ｆ、408…ストリーム制御部、409…メディア処理／表示制御部、410…ワークメモリ、411…ディスプレイ、412…スピーカ。
【図１】
2008085515.tif 000003
【図２】
2008085515.tif 000004
【図３】
2008085515.tif 000005
【図４】
2008085515.tif 000006
【図５】
2008085515.tif 000007
【図６】
2008085515.tif 000008
【図７】
2008085515.tif 000009
【図８】
2008085515.tif 000010